【手続補正書】
【提出日】平成19年3月1日(2007.3.1)
【手続補正１】
【補正対象書類名】特許請求の範囲
【補正対象項目名】全文
【補正方法】変更
【補正の内容】
【特許請求の範囲】
【請求項１】
インタロゲータであって、
金属オブジェクトの存在を表わす金属シグネチャーを有する第１の信号を提供するように構成された金属感知サブシステム、
ＲＦＩＤ（radio frequency identification）オブジェクトの存在を表わすＲＦＩＤシグネチャーを有する第２の信号を提供するように構成されたＲＦＩＤ感知サブシステム、及び
前記第１及び第２の信号のうち１つから前記金属及びＲＦＩＤオブジェクトのうち少なくとも１つの存在を識別するように構成された制御及び処理サブシステム
を含むインタロゲータ。
【請求項２】
金属及びＲＦＩＤオブジェクトのうち少なくとも１つの存在を識別する方法であって、
金属オブジェクトの存在を表わす金属シグネチャーを有する第１の信号を提供し、
ＲＦＩＤオブジェクトの存在を表わすＲＦＩＤシグネチャーを有する第２の信号を更に提供し、更に、
前記第１及び第２の信号のうち１つから前記金属及びＲＦＩＤオブジェクトのうち少なくとも１つの存在を識別する
ことを含む方法。
【請求項３】
特徴の位置を示すためのＲＦＩＤ位置マーカーの使用を含む、請求項１に記載のインタロゲータまたは請求項２に記載の方法。
【請求項４】
データを提供するためのＲＦＩＤ情報タグの使用を含む、請求項１に記載のインタロゲータまたは請求項２に記載の方法。
【請求項５】
通信サブシステムを含むコンピュータ・システムに通信を提供することを含む、請求項１に記載のインタロゲータまたは請求項２に記載の方法。
【請求項６】
ユーザー・インタフェースを提供することを含む、請求項１に記載のインタロゲータまたは請求項２に記載の方法。
【請求項７】
位置感知をポジション・センサーに提供することを含む、請求項１に記載のインタロゲータまたは請求項２に記載の方法。
【請求項８】
前記第１の信号を金属感知アンテナ・インタフェース及び金属感知アンテナに提供すること、および前記第２の信号をＲＦＩＤ感知アンテナ・インタフェース及びＲＦＩＤ感知アンテナに提供することを含む、請求項１に記載のインタロゲータまたは請求項２に記載の方法。
【請求項９】
前記第１および第２の信号をアンテナ・ダイプレクサ及び統合された感知アンテナに提供することを含む、請求項１に記載のインタロゲータまたは請求項２に記載の方法。
【請求項１０】
インタロゲータであって、
金属オブジェクトの存在を表わす金属シグネチャーとＲＦＩＤオブジェクトの存在を表わすＲＦＩＤシグネチャーのうち少なくとも１つを有する信号を提供するように構成された感知サブシステム、及び
前記金属及びＲＦＩＤオブジェクトのうち少なくとも１つの存在を識別するため、適応性統合フィルタを用い、観測値及びデータの１つと連携して前記信号の処理を調整するように構成された制御及び処理サブシステム
を含むインタロゲータ。
【請求項１１】
金属及びＲＦＩＤオブジェクトのうち少なくとも１つの存在を識別する方法であって、
金属オブジェクトの存在を表わす金属シグネチャー及びＲＦＩＤオブジェクトの存在を表わすＲＦＩＤシグネチャーのうち少なくとも１つを有する信号を提供し、
適応性統合フィルタと連携して、観測値及びデータの１つと関連して前記信号の処理を調整し、更に、
前記金属及びＲＦＩＤオブジェクトのうち少なくとも１つの存在を識別する
ことを含む方法。
【請求項１２】
前記信号を金属感知サブシステム及びＲＦＩＤ感知サブシステムに提供することを含む、請求項１０に記載のインタロゲータまたは請求項１１に記載の方法。
【請求項１３】
位置感知をポジション・センサーに提供することを含む、請求項１０に記載のインタロゲータまたは請求項１１に記載の方法。
【請求項１４】
通信サブシステムを有するコンピュータ・システムに通信を提供すること、
ユーザー・インタフェースを提供すること、および
前記信号を金属感知アンテナ・インタフェース及び金属感知アンテナ、及びＲＦＩＤ感知アンテナ・インタフェース及びＲＦＩＤ感知アンテナに提供することを含む、請求項１０に記載のインタロゲータまたは請求項１１に記載の方法。
【請求項１５】
インタロゲータであって、
金属オブジェクトの存在を表わす金属シグネチャーとＲＦＩＤオブジェクトの存在を表わすＲＦＩＤシグネチャーのうち少なくとも１つを有する複数の信号を提供するように構成された感知サブシステムと、
前記金属及びＲＦＩＤオブジェクトのうち少なくとも１つの存在を識別するため、前記複数の信号を調整するように構成された制御及び処理サブシステム
を含むインタロゲータ。
【請求項１６】
金属及びＲＦＩＤオブジェクトのうち少なくとも１つの存在を識別する方法であって、
金属オブジェクトの存在を表わす金属シグネチャー及びＲＦＩＤオブジェクトの存在を表わすＲＦＩＤシグネチャーのうち少なくとも１つを有する複数の信号を提供し、
前記複数の信号の処理を調整し、更に、
前記金属及びＲＦＩＤオブジェクトのうち少なくとも１つの存在を識別する
ことを含む方法。
【請求項１７】
前記複数の信号を金属感知サブシステム及びＲＦＩＤ感知サブシステムを含む感知サブシステムに提供することを含む、請求項１５に記載のインタロゲータまたは請求項１６に記載の方法。
【請求項１８】
前記処理を調整し、かつ、マルチスキャン、コヒーレント信号処理を用いる前記金属及びＲＦＩＤオブジェクトのうちの少なくとも１つの存在を識別することを含む、請求項１５に記載のインタロゲータまたは請求項１６に記載の方法。
【請求項１９】
通信サブシステムを有するコンピュータ・システムに通信を提供すること、
ユーザー・インタフェースを提供すること、および
前記複数の信号を金属感知アンテナ・インタフェース及び金属感知アンテナ、及びＲＦＩＤ感知アンテナ・インタフェース及びＲＦＩＤ感知アンテナに提供することを含む、請求項１５に記載のインタロゲータまたは請求項１６に記載の方法。
【請求項２０】
コンピュータ・システム、
前記コンピュータ・システムのために信号を送信及び受信するトランシーバ、及び
請求項１、１０または１５のいずれかに記載のインタロゲータを含む、
インタロゲーション・システム。
【手続補正２】
【補正対象書類名】明細書
【補正対象項目名】０００２
【補正方法】変更
【補正の内容】
【０００２】
在庫管理又は同様の目的の資産追跡は、２、３例を挙げると、食品産業、衣料業界、及びかなり多数の製造部門など、多くの産業部門において用いられている。多くの場合、バーコード化されたタグ又はＲＦＩＤタグが資産に貼り付けられ、リーダーが、そのタグを読み、追跡される資産を最終的に捜し当てるため、その品物に問い掛けをする(interrogate)。容易には採用されないが、心電図（Electrocardiogram(EKG)）装置や他のモジュラー患者監視機器などの機器を追跡するために、類似のシステムが医療の環境で用いられ得る。
【手続補正３】
【補正対象書類名】明細書
【補正対象項目名】０００５
【補正方法】変更
【補正の内容】
【０００５】
通常、カウントするプロセスの間、手術施設の手術室への入退出は制限されるが、これによって貴重な専門スタッフを引き留めることになる。そのカウントで不一致があった場合、更なるカウントによって、必要であれば、患者の身体検査やＸ線検査によって解決しなければならない。カウントの不一致の原因が、手術用品が患者の体内に残されたことであることは稀であるが、毎回の手術処置で生じるカウント及び再カウント、及び手術用品の紛失に関連する影響は、医療施設や医療専門職にとって重大な関心事である。
【手続補正４】
【補正対象書類名】明細書
【補正対象項目名】００３０
【補正方法】変更
【補正の内容】
【００３０】
別の側面において、本発明は、医療施設内で、制約なく用いられ得るインタロゲーション・システムを提供する。このインタロゲーション・システムは、コンピュータ・システム、及びコンピュータ・システムに関連する信号を送信及び受信するトランシーバを含む。このインタロゲーション・システムはインタロゲータも含み、このインタロゲータは、金属オブジェクトの存在を表わす金属シグネチャーを有する第１の信号を提供する金属感知サブシステムと、ＲＦＩＤオブジェクトの存在を表わすＲＦＩＤシグネチャーを有する第２の信号を提供するＲＦＩＤ感知サブシステムを含む。インタロゲータは更に、第１及び第２の信号のうちの１つから金属オブジェクト及びＲＦＩＤオブジェクトのうち少なくとも１つの存在を識別する制御及び処理サブシステム、及びトランシーバと通信する通信サブシステムも含む。
【手続補正５】
【補正対象書類名】明細書
【補正対象項目名】００６４
【補正方法】変更
【補正の内容】
【００６４】
キット化の後、容器は滅菌に進み、そこで、用具の性質に基づいて多数の異なる種類の滅菌処理が成され得る。可能な場合、通例ではそれが最も費用のかからないアプローチであるため、高圧蒸気が用いられる。しかし、必要な用具が、これらに限定されるわけではないが、エチレンオキサイド滅菌、H202−プラズマ滅菌、及び液体H202滅菌など、異なる滅菌処理を必要とすることがよくある。もちろん、手術施設３００のレイアウト及び前述の処理は、手術施設及び関連する処理の一例に過ぎない。
【手続補正６】
【補正対象書類名】明細書
【補正対象項目名】００８２
【補正方法】変更
【補正の内容】
【００８２】
統合された又は拡張されたオペレーション・モードに関連する図５Ｂの関連図５５０は、独立オペレーション・モードと比較して、拡張された複数の入力を用いる。図示した実施例において、この複数の入力は、金属感知５５２、ＲＦＩＤ感知５５４、インタロゲータ位置観測値５５６、ＲＦＩＤ位置マーカー５５８、ＲＦＩＤ／金属較正マーカー５６０、患者デモグラフィクス／ヒストリー・データベース５６２、解剖学的データベース５６４、科学的根拠に基づく医療データベース５６６、及びＲＦＩＤ及び金属オブジェクト・シグネチャー・データベース５６８を含む。
【手続補正７】
【補正対象書類名】明細書
【補正対象項目名】００９６
【補正方法】変更
【補正の内容】
【００９６】
インタロゲーション・システム６５０は、データベース６６１に接続されるコンピュータ・システム６６０、拡張されたデータベース６７１に接続される医療施設サーバー６７０、及びモニター６７８ａ及びキーボード６７８ｂを用いる外部ユーザー・インタフェース６７８、コンピュータ・システム６６０及び医療施設サーバー６７０に関連する信号を送信及び受信するトランシーバ・アンテナ６６６を用いるトランシーバ６６５を含む。インタロゲーション・システム６５０は、トランシーバ６６５と通信するインタロゲータ・アンテナ６７７を用いるインタロゲータ(例えば、ポータブル・インタロゲータ)６７５、第１、第２、第３、及び第４のＲＦＩＤ位置マーカー６８０、６８１、６８２、６８３、患者６５３に取り付けられたＲＦＩＤ患者ブレスレット６４０、及び第１、第２、第３、及び第４の較正マーカー６９１、６９２、６９３、６９４も含む。